【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  結着樹脂、着色剤、ワックス及び負荷電制御樹脂を少なくとも含有するトナー粒子及び無機微粉体を有するトナーにおいて、
（ａ）該トナーの重量平均粒径（Ｄ４）が５乃至１０μｍであり、
（ｂ）該負荷電制御樹脂が、５乃至１０μｍの粒径を有するトナー粒子の切断面において、長軸（Ｌ）が０．０１乃至１μｍ、長軸（Ｌ）と短軸（Ｓ）の比（Ｌ／Ｓ）が１乃至１０の微粒子として存在し、トナー粒子１個について長軸（Ｌ）が０．０５乃至０．５μｍの微粒子が平均１乃至１００個存在していることを特徴とするトナー。
【請求項２】  該負荷電制御樹脂が、トナーの結着樹脂に長軸（Ｌ）が０．０５乃至０．５μｍ、長軸（Ｌ）と短軸（Ｓ）の比（Ｌ／Ｓ）が１．２乃至２の微粒子として存在し、長軸（Ｌ）が０．０５乃至０．５μｍの微粒子がトナー粒子１個について平均７乃至７０個存在していることを特徴とする請求項１に記載のトナー。
【請求項３】  該負荷電制御樹脂が、酸基としてスルホニル基を有するビニル系重合体であることを特徴とする請求項１又は２に記載のトナー。
【請求項４】  該負荷電制御樹脂が、酸基としてスルホニル基及びカルボキシル基を有するビニル系重合体を含有することを特徴とする請求項１又は２に記載のトナー。
【請求項５】  該負荷電制御樹脂が５乃至５０ｍｇＫＯＨ／ｇの酸価を有することを特徴とする請求項１乃至４のいずれかに記載のトナー。
【請求項６】  該負荷電制御樹脂が１０乃至３５ｍｇＫＯＨ／ｇの酸価を有することを特徴とする請求項１乃至４のいずれかに記載のトナー。
【請求項７】  該トナーが負荷電制御樹脂を結着樹脂１００質量部に対して０．１乃至１０質量部含有することを特徴とする請求項１乃至６のいずれかに記載のトナー。
【請求項８】  該トナーが負荷電制御樹脂を結着樹脂１００質量部に対して２乃至５質量部含有することを特徴とする請求項１乃至６のいずれかに記載のトナー。
【請求項９】  該負荷電制御樹脂の重量平均分子量（Ｍｗ）が５０００乃至５０万であることを特徴とする請求項１乃至８のいずれかに記載のトナー。
【請求項１０】  該負荷電制御樹脂の重量平均分子量（Ｍｗ）が２万乃至５万であることを特徴とする請求項１乃至８のいずれかに記載のトナー。
【請求項１１】  該負荷電制御樹脂のガラス転移温度（Ｔｇ）が５０乃至７５℃であることを特徴とする請求項１乃至１０のいずれかに記載のトナー。
【請求項１２】  該負荷電制御樹脂のガラス転移温度（Ｔｇ）が６０乃至６８℃であることを特徴とする請求項１乃至１０のいずれかに記載のトナー。
【請求項１３】  該負荷電制御樹脂が、それぞれ酸価の異なる重合体（Ａ）および重合体（Ｂ）を少なくとも含有することを特徴とする請求項１乃至１２のいずれかに記載のトナー。
【請求項１４】  該負荷電制御樹脂において重合体（Ａ）が酸基として主にスルホニル基を含有するビニル系重合体であり、重合体（Ｂ）が酸基として主にスルホニル基及びカルボキシル基を含有するビニル系重合体であることを特徴とする請求項１乃至１３のいずれかに記載のトナー。
【請求項１５】  該負荷電制御樹脂が、５乃至２０ｍｇＫＯＨ／ｇの酸価を有する重合体（Ａ）及び２１乃至５０ｍｇＫＯＨ／ｇの酸価を有する重合体（Ｂ）を少なくとも含有する荷電制御樹脂であることを特徴とする請求項１乃至１４のいずれかに記載のトナー。
【請求項１６】  該負荷電制御樹脂が１０乃至１５ｍｇＫＯＨ／ｇの酸価を有する重合体（Ａ）及び２７乃至３５ｍｇＫＯＨ／ｇの酸価を有する重合体（Ｂ）を含有することを特徴とする請求項１乃至１４のいずれかに記載のトナー。
【請求項１７】  該負荷電制御樹脂が、ビニル系重合体（Ａ）とビニル系重合体（Ｂ）を質量比で１：２０乃至５：１で混合されていることを特徴とする請求項１乃至１６のいずれかに記載のトナー。
【請求項１８】  該負荷電制御樹脂が、ビニル系重合体（Ａ）とビニル系重合体（Ｂ）を質量比で１：５乃至３：１で混合されていることを特徴とする請求項１乃至１６のいずれかに記載のトナー。
【請求項１９】  該トナーの結着樹脂がポリエステルとビニル系重合体からなるハイブリッド樹脂成分を５乃至５０質量％含有することを特徴とする請求項１乃至１８のいずれかに記載のトナー。
【請求項２０】  該トナーの結着樹脂がポリエステルとビニル系重合体からなるハイブリッド樹脂成分を１５乃至４０質量％含有することを特徴とする請求項１乃至１８のいずれかに記載のトナー。
【請求項２１】  該トナーの結着樹脂の酸価が１乃至４０ｍｇＫＯＨ／ｇであることを特徴とする請求項１乃至２０のいずれかに記載のトナー。
【請求項２２】  該トナーの結着樹脂の酸価が１０乃至３０ｍｇＫＯＨ／ｇであることを特徴とする請求項１乃至２０のいずれかに記載のトナー。
【請求項２３】  該トナーの結着樹脂が１乃至６０質量％のテトラヒドロフラン（ＴＨＦ）不溶分を含有することを特徴とする請求項１乃至２２のいずれかに記載のトナー。
【請求項２４】  該トナーの結着樹脂が１０乃至４０質量％のテトラヒドロフラン（ＴＨＦ）不溶分を含有することを特徴とする請求項１乃至２２のいずれかに記載のトナー。
【請求項２５】  該トナーのテトラヒドロフラン（ＴＨＦ）可溶分がゲルパーミエーションクロマトグラフィー（ＧＰＣ）測定によるクロマトグラムにおいて、分子量２０００乃至１５０００の領域にメインピークを有し、分子量１０万以上乃至１０００万未満の成分を５乃至３０質量％含有し、分子量１０００以上乃至５０００未満の成分を１０乃至３０質量％含有することを特徴とする請求項１乃至２４のいずれかに記載のトナー。
【請求項２６】  該トナーのテトラヒドロフラン（ＴＨＦ）可溶分がゲルパーミエーションクロマトグラフィー（ＧＰＣ）測定によるクロマトグラムにおいて、分子量５０００乃至１００００の領域にメインピークを有し、分子量１０万以上乃至１０００万未満の成分を１０乃至２５質量％含有し、分子量１０００以上乃至５０００未満の成分を１５乃至２５質量％含有することを特徴とする請求項１乃至２４のいずれかに記載のトナー。
【請求項２７】  該トナーの周波数１００ｋＨｚで測定したトナーの誘電正接（ｔａｎδ）が２×１０-3乃至２×１０-2であることを特徴とする請求項１乃至２６のいずれかに記載のトナー。
【請求項２８】  該トナーの周波数１００ｋＨｚで測定したトナーの誘電正接（ｔａｎδ）が７×１０-3乃至１．２×１０-2であることを特徴とする請求項１乃至２６のいずれかに記載のトナー。
【請求項２９】  該トナーに負荷電制御剤樹脂とは異なる負荷電制御剤が少なくとも一種類以上添加されていることを特徴とする請求項１乃至２８のいずれかに記載のトナー。
【請求項３０】  該トナーにおいて、有機アルミニウム化合物が負荷電制御剤として添加されていることを特徴とする請求項１乃至２９のいずれかに記載のトナー。
【請求項３１】  該有機アルミニウム化合物が、芳春族ジオール、芳香族ヒドロキシカルボン酸、芳香族モノカルボン酸または芳香族ポリカルボン酸が配位または／結合した有機アルミニウム化合物であることを特徴とする請求項３０に記載のトナー。
【請求項３２】  該ワックスが分子量６００乃至４５００にメインピークを有し、比（Ｍｗ／Ｍｎ）が１．１乃至１５であることを請求項１乃至３１のいずれかに記載のトナー。
【請求項３３】  該ワックスが分子量７００乃至４０００にメインピークを有し、比（Ｍｗ／Ｍｎ）が１．７乃至８であることを請求項１乃至３１のいずれかに記載のトナー。
【請求項３４】  該ワックスが炭化水素系ワックス、ポリエチレン系重合体またはポリプロピレン系重合体のいずれかであることを特徴とする請求項１乃至３３のいずれかに記載のトナー。
【請求項３５】  該ワックスが式（１）で表せる構造を有することを特徴とする請求項１乃至３３のいずれかに記載のトナー。
式（１）    ＣＨ3−（ＣＨ2−ＣＨ2）x−ＣＨ2−ＣＨ2−Ａ
（式中、Ａは水酸基またはカルボキシル基を表し、ｘは２０乃至６０の整数を表す。）
【請求項３６】  該ワックスが１乃至２０ｍｇＫＯＨ／ｇの酸価を有する酸変性ポリプロピレンであることを特徴とする請求項１乃至３３のいずれかに記載のトナー。
【請求項３７】  該ワックスが１乃至２０ｍｇＫＯＨ／ｇの酸価を有する酸変性ポリエチレンであることを特徴とする請求項１乃至３３のいずれかに記載のトナー。
【請求項３８】  該ワックスが示差走査熱量計（ＤＳＣ）で測定される昇温時の吸熱ピーク温度で規定される融点が７０乃至１５０℃であることを特徴とする請求項１乃至３７のいずれかに記載のトナー。
【請求項３９】  該ワックスが示差走査熱量計（ＤＳＣ）で測定される昇温時の吸熱ピーク温度で規定される融点が８５乃至１３０℃であることを特徴とする請求項１乃至３７のいずれかに記載のトナー。
【請求項４０】  異なるワックスが２種含有され、分子量５００乃至７０００にメインピークを有し、比（Ｍｗ／Ｍｎ）が１．２乃至１５であることを特徴とする請求項１乃至３１のいずれかに記載のトナー。
【請求項４１】  異なるワックスが２種含有され、分子量１０００乃至５０００にメインピークを有し、比（Ｍｗ／Ｍｎ）が２乃至１０であることを特徴とする請求項１乃至３１のいずれかに記載のトナー。
【請求項４２】  異なるワックスが２種含有され、少なくとも１種のワックスが炭化水素系ワックス、ポリエチレン系重合体またはポリプロピレン系重合体のいずれかであることを特徴とする請求項１乃至３１、４０及び４１のいずれかに記載のトナー。
【請求項４３】  異なるワックスが２種含有され、少なくとも１種のワックスが式（１）で表せる構造を有することを特徴とする請求項１乃至３１、及び、４０乃至４２のいずれかに記載のトナー。
式（１）    ＣＨ3−（ＣＨ2−ＣＨ2）x−ＣＨ2−ＣＨ2−Ａ
（式中、Ａは水酸基またはカルボキシル基を表し、ｘは２０乃至６０の整数を表す。）
【請求項４４】  異なるワックスが２種含有され、少なくとも１種のワックスが１乃至２０ｍｇＫＯＨ／ｇの酸価を有する酸変性ポリプロピレンであることを特徴とする請求項１乃至３１、及び、４０乃至４３のいずれかに記載のトナー。
【請求項４５】  異なるワックスが２種含有され、少なくとも１種のワックスが１乃至２０ｍｇＫＯＨ／ｇの酸価を有する酸変性ポリエチレンであることを特徴とする請求項１乃至３１、及び、４０乃至４４のいずれかに記載のトナー。
【請求項４６】  該無機微粉体がＢＥＴ比表面積が３０ｍ2／ｇ以上であり、メタノールウエッタビリティーが３０％以上の疎水性を有するシランカップリング剤で表面処理されたシリカ微粉体であることを特徴とする請求項１乃至４５のいずれかに記載のトナー。
【請求項４７】  該無機微粉体がＢＥＴ比表面積が４０乃至４００ｍ2／ｇであり、メタノールウエッタビリティーが５０％以上の疎水性を有するシランカップリング剤及びシリコーンオイルで表面処理されたシリカ微粉体であることを特徴とする請求項１乃至４５のいずれかに記載のトナー。
【請求項４８】  該無機微粉体が、シリカ微粉体及び金属酸化物、窒化物、炭化物、金属塩から選択される添加剤の少なくとも一種であることを特徴とする請求項１乃至４７のいずれかに記載のトナー。
【手続補正２】
【補正対象書類名】明細書
【補正対象項目名】００２０
【補正方法】変更
【補正の内容】
【００２０】
【課題を解決するための手段】
本発明は、結着樹脂、着色剤、ワックス及び負荷電制御樹脂を少なくとも含有するトナー粒子及び無機微粉体を有するトナーにおいて、
（ａ）該トナーの重量平均粒径（Ｄ４）が５乃至１０μｍであり、
（ｂ）該負荷電制御樹脂が、５乃至１０μｍの粒径を有するトナー粒子の切断面において、長軸（Ｌ）が０．０１乃至１μｍ、長軸（Ｌ）と短軸（Ｓ）の比（Ｌ／Ｓ）が１乃至１０の微粒子として存在し、トナー粒子１個について長軸（Ｌ）が０．０５乃至０．５μｍの微粒子が平均１乃至１００個存在していることを特徴とするトナーに関する。